(57)【要約】【課題】簡単に、かつ高い精度でプリズムをハウジングに固定でき、記録媒体の記録・再生を良好に行うことができる光ピックアップ装置を実現する。【解決手段】本発明の光ピックアップ装置８０は、光源から出射された光線の方向を変えるプリズム５０と、プリズム５０を載置する載置面を有するハウジング１０とを備え、ハウジング１０には、該載置面から立ち上がった立設部であって、プリズムが当接することによって、載置面に沿ったプリズム５０の動きを規制する突起部１０Ａ・１０Ｂ・１０Ｃが形成され、突起部１０Ａ・１０Ｂ・１０Ｃは、プリズム５０が当接する当接面を備え、突起部１０Ｂが備えた当接面が、該載置面に対して鈍角を作る斜面１０Ｂ１となっている。【選択図】図１
2007102987.tif 000002
【特許請求の範囲】
【請求項１】
光源から出射された光線の方向を変えるプリズムと、
上記プリズムを載置する載置面を有する基体とを備え、
上記基体には、上記載置面から立ち上がった立設部であって、プリズムが当接することによって、載置面に沿ったプリズムの動きを規制する立設部が少なくとも２つ形成され、
上記立設部は、プリズムが当接する当接面を備え、
上記少なくとも２つの立設部のうちの１つである第１立設部が備えた当接面が、上記載置面に対して鈍角を作る斜面となっていることを特徴とする光ピックアップ装置。
【請求項２】
光源から出射された光線の方向を変えるプリズムと、
上記プリズムを載置する載置面を有する基体とを備え、
上記基体には、上記載置面から立ち上がった立設部であって、プリズムが当接することによって、載置面に沿ったプリズムの動きを規制する立設部が少なくとも２つ形成され、
上記プリズムは、少なくとも２つの立設部が当接する少なくとも２つの当接面を備え、
上記立設部が当接するプリズムが備えた当接面のうちの１つである第１当接面が、上記載置面に対して鋭角を作る斜面となっていることを特徴とする光ピックアップ装置。
【請求項３】
上記立設部の設置箇所が、３ヶ所であることを特徴とする請求項１又は２に記載の光ピックアップ装置。
【請求項４】
さらに、上記基体には、上記立設部としての第２立設部を備え、プリズムが当接する上記第２立設部が備えた当接面が上記載置面に対して鋭角または鈍角を作る斜面となっていることを特徴とする請求項１に記載の光ピックアップ装置。
【請求項５】
さらに、上記プリズムには、上記立設部が当接するプリズムの当接面としての第２当接面を備え、上記プリズムが備えた該第２当接面が上記載置面に対して鈍角または鋭角を作る斜面となっていることを特徴とする請求項２に記載の光ピックアップ装置。
【請求項６】
上記基体が、ピンを挿入してピンの高さを調整することにより、上記載置面と直交する光ピックアップ装置の高さ方向に対する上記プリズムの位置を変化させるための穴を備えていることを特徴とする請求項１〜５の何れか１項に記載の光ピックアップ装置。
【請求項７】
上記基体が備える穴は、少なくとも３ケ所設けられていることを特徴とする請求項６に記載の光ピックアップ装置。
【請求項８】
上記プリズムの高さ方向の位置の変化によって、上記基体と上記プリズムとの間に生じた隙間に対して、接着剤を充填することにより上記基体と上記プリズムとを固定したことを特徴とする請求項６または７に記載の光ピックアップ装置。
【請求項９】
上記基体が備える穴の中に、接着剤が充填されて、上記基体と上記プリズムとが固定されていることを特徴とする請求項６〜８の何れか１項に記載の光ピックアップ装置。
【請求項１０】
請求項１〜９のいずれか１項に記載の光ピックアップ装置を搭載した光記録再生装置。
【発明の詳細な説明】
【技術分野】
【０００１】
本発明は、光ディスク等の記録媒体への光学的な情報の記録および／または再生に用いられる光ピックアップ装置および該光ピックアップ装置を搭載した光記録再生装置に関するものである。
【背景技術】
【０００２】
従来から、光ディスク等の記録媒体を用いた情報の記録および／または再生には、光ピックアップ装置が使用されている。光ピックアップ装置を用いた情報の記録および／または再生は、例えばレーザ装置から出射された光ビームを、プリズムを介して上記記録媒体における記録面または再生面に照射し、この記録面または再生面からの反射光を利用することにより行われる。
【０００３】
光ピックアップ装置において、プリズムは、上記したようにレーザ光等の光ビームを、記録媒体や、光信号を検出する受光素子等に導く重要な部品の１つである。このため、プリズムの固定位置の精度が悪いと、記録および再生等の不良を引き起こしてしまう。
【０００４】
従来、光ピックアップ装置において基体にプリズムを固定する方法としては、（１）プリズムを、基体の底面および側面の傾斜角度（傾き具合）の精度に合わせ込んで基体に接着固定する方法、（２）設備を利用してプリズムを空間調整接着する方法、が知られている。
【０００５】
以下に、上記従来の光ピックップ装置におけるプリズムの固定方法について、図２１および図２２を参照してより具体的に説明する。
【０００６】
図２１は、従来の光ピックアップ装置のプリズム部分の一例を示す断面図である。また、図２２は、従来の他の光ピックアップ装置における光学部品取り付け装置の一例を示す一部断面を含む説明図である。
【０００７】
上記（１）の方法としては、例えば、図２１に示すように、プリズム５００の下面を、基体であるハウジングの台座部５０１上に接着固定する方法が知られている（例えば特許文献１参照）。
【０００８】
また、上記（２）の方法としては、例えば、図２２に示すように、光学部品取り付け装置６１０に備えられているクランプフィンガ６０１によってプリズム６００を空間に持ち上げた状態で、予めプリズム６００と、基体６０２との間の空間部に、紫外線硬化型接着剤（ＵＶ接着剤）等の接着剤６０３を流し込んでおき、プリズムの角度調整を実施し、調整後、接着剤６０３を硬化させることにより、プリズム６００を基体６０２に固定する方法が知られている（例えば特許文献２参照）。
【０００９】
また、プリズムの１つの面のみを用いて空間調整する方法として、プリズムの１つの面をバキュームすることによりプリズムを保持することも行われている。
【特許文献１】特開平５−２５０７０９号公報（１９９３年９月２８日公開）
【特許文献２】特開平８−２１０９１１号公報（１９９６年８月２０日公開）
【発明の開示】
【発明が解決しようとする課題】
【００１０】
しかしながら、上記（１）の方法では、単にプリズムを基体の底面および側面に合わせて接着固定させているので、上記プリズムの接着固定位置精度を向上させるためには、上記基体そのものを、ある一定以上の高い精度で加工する必要がある。しかしながら、バラツキを含め、ある一定以上の精度を追求することは困難である。また、上記（１）の方法は、加工に手間と時間とがかかるため、生産効率が低くなってしまうという問題点を有している。
【００１１】
また、上記（２）の方法は、設備が大掛かりになるという問題点を有している。
【００１２】
さらに、上記（２）の方法は、位置調整後のプリズムが、基体から離間した状態で接着剤のみによって接着固定されているため、接着剤の硬化時に、プリズムの位置に大きなズレが生じることがあり、接着固定位置精度に劣るという問題点や、耐環境下での信頼性に劣るという問題点を有している。
【００１３】
なお、上記（２）の方法に限らず、接着剤のみに依存したプリズムの位置固定は、接着剤の硬化時に、プリズムの位置ズレを生じるおそれがあり、また、耐環境下での信頼性に劣るという問題点を有している。さらに、接着剤は環境特性や剥離現象等により、接着の状態が経時変化する可能性が極めて大きい。このため、接着剤のみに依存したプリズムの位置固定は、プリズムの最適な位置からの経時的な位置ズレを発生し易い。
【００１４】
本発明は、上記の問題点に鑑みてなされたものであり、その目的は、生産時に特別な調整設備が不要で、記録・再生を長期間良好に行うことができる光ピックアップ装置を実現することにある。
【課題を解決するための手段】
【００１５】
本発明の光ピックアップ装置は、上記課題を解決するために、光源から出射された光線の方向を変えるプリズムと、上記プリズムを載置する載置面を有する基体とを備え、上記基体には、上記載置面から立ち上がった立設部であって、プリズムが当接することによって、載置面に沿ったプリズムの動きを規制する立設部が少なくとも２つ形成され、上記立設部は、プリズムが当接する当接面を備え、上記少なくとも２つの立設部のうちの１つである第１立設部が備えた当接面が、上記載置面に対して鈍角を作る斜面となっていることを特徴としている。
【００１６】
上記の構成によれば、少なくとも２つの立設部のうちの第１立設部が備えた当接面が、上記載置面に対して鈍角を作る斜面となっているため、少なくとも２つの立設部と当接した状態で、プリズムを当接面に沿って斜めに往復動させることができ、その結果、プリズムを基体の載置面に対して垂直の方向を軸とした回転方向（以下、ＲＡＤ回転方向と記す）に回転させることができる。
【００１７】
具体的には、プリズムと少なくとも２つの立設部とが当接した状態を保持したままで、プリズムを載置面に対して垂直の方向（以下、高さ方向と記す）に力をかけると、プリズムは、第１立設部の当接面の傾斜に沿って、プリズムと載置面に対して鈍角を作る斜面となっていない立設部（以下、斜面を有しない立設部と記す）の１つとの当接箇所を支点としてＲＡＤ回転方向に回転移動する。これにより、プリズムと少なくとも２つの立設部とを当接させた状態を保持したままで、プリズムのＲＡＤ回転方向における位置を変化させることができる。また、このとき、プリズムの高さ方向における位置も同時に変化することになる。
【００１８】
ここで、例えば、プリズムがＲＡＤ回転方向および高さ方向に可動できる状態で、プリズムに対して、基体の載置面と垂直方向にあるプリズムの面の１ヶ所に当接する調整器具を適用するとすれば、プリズムは少なくとも３点で安定的に支持される。そして、この状態でプリズムの高さ方向の位置を変化させると、プリズムが少なくとも３点で安定的に支持された状態で、プリズムのＲＡＤ回転方向の位置を調整することができる。つまり、プリズムの位置調整は、プリズムが少なくとも３点で支持された状態で行うことができるため、位置調整中にプリズムの位置ズレが生じ難い。このように簡便な調整装置を適用することで、基体におけるプリズムの設置位置を安定的に調整することができる。
【００１９】
さらには、プリズムの位置調整後、プリズムを基体に接着剤等で固定させる場合に、プリズムは、基体に備えられた少なくとも２つの立設部の当接面と当接した状態で固定される。これにより、接着剤の硬化時および経時変化によって生じる接着剤の体積変化等の影響を受け難い。
【００２０】
従って、本発明の光ピックアップ装置では、簡便な調整装置を適用することで、基体におけるプリズムの設置位置を安定的に調整することができ、固定後のプリズムの位置が経時変化に対して影響を受け難い。このため、生産時に特別な調整設備が不要で、記録媒体の記録・再生を長期間良好に行うことができる光ピックアップ装置を提供することができるという効果を奏する。
【００２１】
また、本発明の光ピックアップ装置は、上記課題を解決するために、光源から出射された光線の方向を変えるプリズムと、上記プリズムを載置する載置面を有する基体とを備え、上記基体には、上記載置面から立ち上がった立設部であって、プリズムが当接することによって、載置面に沿ったプリズムの動きを規制する立設部が少なくとも２つ形成され、上記プリズムは、少なくとも２つの立設部が当接する少なくとも２つの当接面を備え、上記立設部が当接するプリズムが備えた当接面のうちの１つである第１当接面が、上記載置面に対して鋭角を作る斜面となっていることを特徴としている。
【００２２】
上記の構成によれば、立設部が当接する少なくとも２つのプリズムが備えた当接面のうちの第１当接面が、上記載置面に対して鋭角を作る斜面となっているため、プリズムを少なくとも２つの立設部と当接した状態で、プリズムを当接面に沿って斜めに往復動させることができ、その結果、ＲＡＤ回転方向に回転させることができる。
【００２３】
具体的には、プリズムと少なくとも２つの立設部とが当接した状態で、プリズムを高さ方向に力をかけると、プリズムは、プリズムの斜面の傾斜に沿って、プリズムの斜面ではないプリズムの面と当接している立設部との当接箇所を支点としてＲＡＤ回転方向に回転移動する。これにより、プリズムを少なくとも２つの立設部と当接させた状態で、プリズムのＲＡＤ回転方向における位置を調整することができる。また、このとき、プリズムの高さ方向における位置も同時に変化することになる。
【００２４】
ここで、例えば、プリズムがＲＡＤ回転方向および高さ方向に可動できる状態で、プリズムに対して、基体の載置面と垂直方向にあるプリズムの面の１ヶ所を当接する調整器具を適用するとすれば、プリズムは少なくとも３点で安定的に支持される。そして、この状態でプリズムの高さ方向の位置を変化させると、プリズムを基体に当接させた状態を保持したままで、プリズムのＲＡＤ回転方向の位置を調整することができる。つまり、プリズムの位置調整は、プリズムが少なくとも３点で支持された状態で行うことができるため、位置調整中にプリズムの位置ズレが生じ難い。このように簡便な調整装置を適用することで、基体におけるプリズムの設置位置を安定的に調整することができる。
【００２５】
さらには、プリズムの位置調整後、プリズムを基体に接着剤等で固定させる場合に、プリズムは、基体に備えられた少なくとも２つの立設部の当接面と当接した状態で固定される。これにより、接着剤の硬化時および経時変化によって生じる接着剤の体積変化等の影響を受け難い。
【００２６】
従って、本発明の光ピックアップ装置では、簡便な調整装置を適用することで、基体におけるプリズムの設置位置を安定的に調整することができ、固定後のプリズムの位置が経時変化に対して影響を受け難い。このため、特別な調整設備が不要で、記録媒体の記録・再生を長期間良好に行うことができる光ピックアップ装置を提供することができるという効果を奏する。
【００２７】
本発明に係る光ピックアップ装置では、上記立設部が、３ヶ所であることが好ましい。
【００２８】
これにより、プリズムが、３ヶ所の立設部と当接するため、プリズムの移動および傾きがより制限される。よって、プリズムの位置ズレを防ぐことができ、より安定的にプリズムを基体に固定することができる。従って、記録媒体の記録・再生をさらに長期間良好に行うことができる光ピックアップ装置を提供することができるというさらなる効果を奏する。
【００２９】
また、本発明に係る光ピックアップ装置では、さらに、上記基体には、上記立設部としての第２立設部を備え、プリズムが当接する上記第２立設部が備えた当接面が上記載置面に対して鋭角または鈍角を作る斜面となっていることが好ましい。
【００３０】
第２立設部の当接面が上記載置面に対して鋭角である場合は、プリズムとの当接面が斜面である第２立設部とプリズムとが当接した状態、つまり少なくとも３つの立設部とプリズムとが当接した状態で、プリズムをＲＡＤ回転方向に回転させることができる。具体的には、第１立接部の当接面は、上記載置面に対して鈍角を作る斜面となっているのに対して、第２立設部の当接面は、上記載置面に対して鋭角を作る斜面となっている。このため、例えば、プリズムの高さ方向の位置を基板から離れる方向に移動させると、第１立設部とプリズムとの接触位置は第１立設部にプリズムが接近する方向に移動すると同時に、第２立設部とプリズムとの接触位置は第２立設部からプリズムが離れる方向に移動する。よって、プリズムを支点となる立設部と当接させた状態で、さらに別の２つの立設部と当接した状態を保持しながらプリズムを回転させることができる。従って、基体におけるプリズムの設置位置をより精度よく、安定的に調整することができ、固定後のプリズムの位置が経時変化に対してより影響を受け難いというさらなる効果を奏する。
【００３１】
一方、第２立設部の当接面が上記載置面に対して鈍角である場合は、プリズムとの当接面が斜面となっている２つの立設部のどちらとでもプリズムは作用することができるため、ＲＡＤ回転方向においてより広い範囲にプリズムを回転させることができる。具体的には、第１立設部がプリズムと作用する場合と同様に、第２立設部を含む少なくとも２つの立設部とプリズムとが当接した状態を保持したままで、プリズムを高さ方向に力をかけると、プリズムは、第２立設部の当接面の傾斜に沿って、斜面を有しない立設部の１つとの当接箇所を支点として、第１立設部と作用する場合とは反対方向のＲＡＤ回転方向に回転移動する。このとき、第２立設部の当接面が上記載置面に対して鋭角である場合とは異なり、プリズムは第１立設部とは接触しない。
【００３２】
ここで、例えば、プリズムがＲＡＤ回転方向および高さ方向に可動できる状態で、プリズムに対して、基体の載置面と垂直方向にあるプリズムの面の１ヶ所に当接する調整器具を適用するとすれば、基体の載置面と垂直方向にあるプリズムの面に調整器具が加える力の方向を変化させることにより、プリズムを第１立設部および第２立設部のどちらとでも作用させることができる。従って、基体におけるプリズムの設置位置をより広い範囲で調整することができるというさらなる効果を奏する。
【００３３】
また、本発明に係る光ピックアップ装置では、さらに、上記プリズムには、上記立設部が当接するプリズムの当接面としての第２当接面を備え、上記プリズムが備えた第２当接面が上記載置面に対して鈍角または鋭角を作る斜面となっていることが好ましい。
【００３４】
プリズムが備えた第２当接面が上記載置面に対して鈍角である場合は、さらに立設部との当接面が斜面であるプリズムが備えた第２当接面と当接した状態、つまり少なくとも３つの立設部と当接させた状態で、プリズムをＲＡＤ回転方向に回転させることができる。具体的には、プリズムが備えた第１当接面は、上記載置面に対して鋭角を作る斜面となっているのに対して、プリズムが備えた第２当接面は、上記載置面に対して鈍角を作る斜面となっている。このため、例えば、プリズムの高さ方向の位置を基板から離れる方向に移動させると、プリズムが備えた第１当接面と立設部との接触位置は該立設部にプリズムが接近する方向に移動するのに対して、プリズムが備えた第２当接面と立設部との接触位置は該立設部からプリズムが離れる方向に移動する。よって、プリズムを支点となる立設部と当接させた状態で、さらに別の２つの立設部と当接した状態を保持しながらプリズムを回転させることができる。従って、基体におけるプリズムの設置位置をより精度よく、安定的に調整することができ、固定後のプリズムの位置が経時変化に対してより影響を受け難いというさらなる効果を奏する。
【００３５】
一方、プリズムが備えた第２当接面が上記載置面に対して鋭角である場合は、プリズムとの当接面が斜面となっている２つの立設部のどちらとでもプリズムは作用することができるため、ＲＡＤ回転方向においてより広い範囲にプリズムを回転させることができる。
【００３６】
具体的には、プリズムが備えた第１当接面が立設部と作用する場合と同様に、プリズムが備えた第２当接面と立設部とが当接した状態で、プリズムを高さ方向に力をかけると、プリズムは、プリズムが備えた第２当接面の傾斜に沿って、プリズムの斜面ではないプリズムの面と当接している立設部との当接箇所を支点として、プリズムが備えた第１当接面が作用している場合とは反対方向のＲＡＤ回転方向に回転移動する。このとき、プリズムが備えた第２当接面が上記載置面に対して鈍角である場合とは異なり、プリズムが備えた第２当接面は立設部とは接触しない。
【００３７】
ここで、例えば、プリズムがＲＡＤ回転方向および高さ方向に可動できる状態で、プリズムに対して、基体の載置面と垂直方向にあるプリズムの面の１ヶ所に当接する調整器具を適用するとすれば、基体の載置面と垂直方向にあるプリズムの面に調整器具が加える力の方向を変化させることにより、プリズムが備えた第１当接面およびプリズムが備えた第２当接面のどちらとでも作用させることができる。従って、基体におけるプリズムの設置位置をより広い範囲で調整することができるというさらなる効果を奏する。
【００３８】
また、本発明に係る光ピックアップ装置では、上記基体が、ピンを挿入してピンの高さを調整することにより、上記載置面と直交する光ピックアップ装置の高さ方向に対する上記プリズムの位置を変化させるための穴を備えていることが好ましい。
【００３９】
これにより、調整器具によってプリズムを基体に支持させた状態で、上記穴を通じてピンを挿入することにより、容易にプリズムの高さ方向の位置を調整することができる。よって、プリズムのＲＡＤ回転方向をより簡便に調整することができるというさらなる効果を奏する。
【００４０】
また、本発明に係る光ピックアップ装置では、上記基体が備える穴は、少なくとも３ケ所設けられていることが好ましい。
【００４１】
これにより、プリズムの高さ方向の位置を変化させる際、プリズムの底面はピンによって３点以上で支持される。よって、調整器具によってプリズムを基体に当接させた状態で、より安定的にプリズムの高さ方向の位置を調整することができる。また、プリズムの底面が３点以上で支持されているため、それぞれのピンの高さを別々に調整することにより、高さ方向と直交する方向を回転軸とする回転方向（以下、あおり方向と記す）の調整を行うことができる。従って、より安定的に精度良くプリズムを基体に固定することができるというさらなる効果を奏する。
【００４２】
また、本発明に係る光ピックアップ装置では、上記プリズムの高さ方向の位置の変化によって、上記基体と上記プリズムとの間に生じた隙間に対して、接着剤を充填することにより上記基体と上記プリズムとを固定した構成が好ましい。
【００４３】
これにより、プリズムの高さ方向の位置調整により生じた隙間が、接着剤で充填・固化されているため、プリズムの移動・傾きがより制限される。これにより、プリズムの位置ズレを防ぐことができ、より安定的にプリズムを基体に固定することができるというさらなる効果を奏する。
【００４４】
また、本発明に係る光ピックアップ装置では、上記基体が備える穴の中に、接着剤が充填されて、上記基体と上記プリズムとが固定されていることが好ましい。
【００４５】
これにより、プリズムの高さ方向の位置を変化させるために設けられた基体の穴に接着剤が充填・固化されているため、より容易にプリズムの高さ方向の位置調整により生じた隙間を接着剤で充填・固化させることができる。よって、より簡便にプリズムを基体に固定することができるというさらなる効果を奏する。
【００４６】
また、本発明に係る光記録再生装置は、上記課題を解決するために、上記光ピックアップ装置を搭載したことを特徴としている。
【００４７】
これにより、光ディスク等の記録媒体への記録・再生を良好に行うことができる光記録再生装置を提供することができるという効果を奏する。
【発明の効果】
【００４８】
本発明に係る光ピックアップ装置は、以上のように、基体には、上記載置面から立ち上がった立設部であって、プリズムが当接することによって、載置面に沿ったプリズムの動きを規制する立設部が少なくとも２つ形成され、上記立設部は、プリズムが当接する当接面を備え、上記少なくとも２つの立設部のうちの１つの立設部が備えた当接面が、上記載置面に対して鈍角を作る斜面となっている。
【００４９】
よって、従来のようにハウジングの部品精度の追い込みを行う必要がない。また、大掛かりな調整設備を用いて、バキューム等でプリズムを空間に保持した状態で位置を調整する空間調整を行う必要がなく、さらには接着剤の環境特性や剥離現象等による経時変化に対してもプリズムの固定位置に影響を与えにくい。このため、特別な調整設備が不要で、記録媒体の記録・再生を長期間良好に行うことができる光ピックアップ装置を提供することができるという効果を奏する。
【００５０】
また、本発明に係る光ピックアップ装置は、基体には、上記載置面から立ち上がった立設部であって、プリズムが当接することによって、載置面に沿ったプリズムの動きを規制する立設部が少なくとも２つ形成され、上記プリズムは、少なくとも２つの立設部が当接する少なくとも２つの当接面を備え、上記立設部が当接するプリズムが備えた当接面のうちの１つが、上記載置面に対して鋭角を作る斜面となっている。
【００５１】
よって、従来のようにハウジングの部品精度の追い込みを行う必要がない。また、プリズムを調整するための空間調整を行う必要がなく、さらには接着剤の環境特性や剥離現象等による経時変化に対してもプリズムの固定位置に影響を与えにくい。このため、特別な調整設備が不要で、記録媒体の記録・再生を長期間良好に行うことができる光ピックアップ装置を提供することができるという効果を奏する。
【００５２】
また、本発明に係る光記録再生装置は、上記光ピックアップ装置を搭載している。このため、経時変化等の環境による影響が少なく、記録媒体の記録・再生を良好に行うことができる光記録再生装置を提供することができるという効果を奏する。
【発明を実施するための最良の形態】
【００５３】
（実施の形態１）
本発明の実施の一形態について、図１〜図１５に基づいて説明すれば、以下の通りである。なお、以下の説明においては、本実施の形態に係る光ピックアップ装置の一例として、ＣＤ（compact disk）並びにＤＶＤ（digital versatile disk）の両光ディスクに対し、光学的に情報を記録および／または再生することが可能な、いわゆるスリムコンボピックアップ装置を例に挙げて説明するものとする。
【００５４】
図１は、本実施の形態に係る光ピックアップ装置におけるプリズムが基体に搭載されている部位を表側（光ディスクと対向する面）から見たときの概略構成を示す図であり、図１（ａ）は平面図であり、図１（ｂ）は図１（ａ）に示す光ピックアップ装置のＡ−Ａ線矢視断面図を示す。図２は、本実施の形態に係る光ピックアップ装置を、表側から見たときの概略構成を示す平面図であり、図３は、図２に示す光ピックアップ装置を、裏側（光ディスクと対向する面の反対側の面）から見たときの概略構成を示す底面図である。また、図４、図５は、順に、図２に示す光ピックアップ装置のＢ−Ｂ線矢視断面図、Ｃ−Ｃ線矢視断面図を示す。
【００５５】
図１（ａ）（ｂ）に示すように、本実施の形態に係る光ピックアップ装置８０は、光源（図示せず）から出射された光線の方向を変えるプリズム５０と、上記プリズム５０を載置する載置面１０Ｚ（図１（ｂ））を有するハウジング（基体）１０とを備え、上記ハウジング１０には、上記載置面から立ち上がった立設部であって、プリズム５０が当接することによって、載置面１０Ｚに沿ったプリズム５０の動きを規制する突起部（立設部）が少なくとも２つ形成されている。ここでは、より好ましい形態として、３つの突起部１０Ａ・１０Ｂ・１０Ｃが形成された例を示す。上記突起部１０Ａ・１０Ｂ・１０Ｃは、プリズム５０が当接する当接面を備え、図１（ｂ）に示すように、上記少なくとも２つの立設部のうちの１つの立設部１０Ｂ（第１立設部）が備えた当接面１０Ｂ１（搭載面に対して鈍角を作る斜面となる立設部の当接面）が、上記載置面１０Ｚに対して鈍角を作る斜面となっていることを特徴としている。
【００５６】
図２に示すように、上記の構成のほかに、光ピックアップ装置８０は、レーザ光照射手段（光ビーム照射部）としてのＤＶＤレーザユニット３０およびＣＤレーザユニット４０と、上記プリズム５０を含むレンズ系（波長板１４、コリメートレンズ１５、立上げミラー１６（図５）、対物レンズ２２）と、対物レンズ制御手段（対物レンズ制御部）としてのアクチュエータ２０と、フロントモニタ１１とを備えている。
【００５７】
上記ハウジング１０は、図２および図３に示すように、上記光ピックアップ装置８０の基体であり、上記したその他の部材は、上記ハウジング１０に固定した状態で用いられる。
【００５８】
上記ＤＶＤレーザユニット３０はＤＶＤ用のレーザ光照射手段であり、図４に示すように、半導体レーザ３１と、ホログラム素子３２とを備えている。
【００５９】
上記半導体レーザ３１は、図２に示すように、光源としてのレーザ発振子３１ａと、受光素子としてのフォトダイオード３１ｂと、これらレーザ発振子３１ａおよびフォトダイオード３１ｂを保護するレーザキャップ３１ｃとを備えている。
【００６０】
上記ホログラム素子３２は、その一面（レーザ光入射面）が、上記半導体レーザ３１のレーザキャップ３１ｃ上、より具体的には、上記半導体レーザ３１のレーザ光出射面上に当接配置されてなり、半導体レーザ３１から出射されたレーザ光（光線）を、回折等を生じさせずにそのまま通過させることにより、上記ＤＶＤレーザユニット３０（レーザ光照射手段）側から見て光路下流側に配されたプリズム５０に導く一方、プリズム５０を介してホログラム素子３２に入射された戻り光を回折させて上記フォトダイオード３１ｂに入射させるようになっている。
【００６１】
上記ＣＤレーザユニット４０はＣＤ用のレーザ光照射手段であり、半導体レーザ４１と、ホログラム素子４２とを備えている。
【００６２】
上記半導体レーザ４１は、光源としてのレーザ発振子４１ａと、受光素子としてのフォトダイオード４１ｂと、これらレーザ発振子４１ａおよびフォトダイオード４１ｂを保護するレーザキャップ４１ｃとを備えている。
【００６３】
上記ホログラム素子４２もまた、その一面（レーザ光入射面）が、上記半導体レーザ４１のレーザキャップ４１ｃ上、より具体的には、上記半導体レーザ４１のレーザ光出射面上に当接配置されてなり、上記ＣＤレーザユニット４０（レーザ光照射手段）側から見て光路下流側に配されたプリズム５０とともに、半導体レーザ４１から出射されたレーザ光を、回折等を生じさせずにそのまま通過させる一方、プリズム５０を介してホログラム素子４２に入射された戻り光を回折させて上記フォトダイオード４１ｂに入射させるようになっている。
【００６４】
また、上記レンズ系は、図５に示すように、プリズム５０、波長板１４、コリメートレンズ１５、立上げミラー１６、対物レンズ２２、からなる。
【００６５】
上記レンズ系は、図２に示すように、レーザ光照射手段である上記ＤＶＤレーザユニット３０またはＣＤレーザユニット４０から出射されたレーザ光の光路内に、レーザ光照射手段側から見て光路上流側からこの順に配され、レーザ光照射手段から出射されたレーザ光を、記録媒体である光ディスク６０（ＣＤ、ＤＶＤ）の記録面または再生面上に導くようになっている。
【００６６】
上記アクチュエータ２０は、上記対物レンズを搭載するレンズフォルダ２１と、トラッキング磁気回路およびフォーカシング磁気回路とを備えている。これにより、上記アクチュエータ２０は、上記光ディスク６０のディスク面上に常時焦点を結ぶように、対物レンズ２２をトラッキング方向（ラジアル方向：ＲＡＤ方向）、フォーカシング方向（高さ方向）に移動、あるいは、ＲＡＤ回転方向（高さ方向を軸とする回転方向）に回転させて、上記対物レンズ２２の位置を記録位置または再生位置に追従させるようになっている。
【００６７】
上記フロントモニタ１１（フロントモニタ素子）は、プリズム５０を挟んで、上記一方のレーザユニット（本実施の形態ではＤＶＤレーザユニット３０）と対向配置されている。上記フロントモニタ１１は、上記プリズム５０を通過して上記ＤＶＤレーザユニット３０から上記フロントモニタ１１に入射されたレーザ光、あるいは、上記プリズム５０で反射されて上記ＣＤレーザユニット４０から上記フロントモニタ１１に入射されたレーザ光の光量から、この光量に応じたモニタ電圧に基づいて、上記ＣＤレーザユニット４０あるいは上記ＤＶＤレーザユニット３０から出射されたレーザ光が所定の強度となるように、レーザ光源駆動電流を制御する。
【００６８】
次に本実施の形態に係る上記光ピックアップ装置８０で使用するプリズム５０について以下に説明する。
【００６９】
図６は、プリズム５０を、三角柱型プリズム片５１と四角柱型プリズム片５２とに分解した形状を示す立体分解図である。また、図７（ａ）〜（ｅ）は、上記プリズム５０の形状を示す図であり、図７（ａ）は背面図、図７（ｂ）は左側面図、図７（ｃ）は平面図、図７（ｄ）は右側面図、図７（ｅ）は正面図である。
【００７０】
上記プリズム５０は、図６に示すように、形状並びに大きさが異なる二つのプリズム片（三角柱型プリズム片５１、四角柱型プリズム片５２）が、その一辺を含む面同士で互いに貼り合わされて一体化された形状をしている。
【００７１】
上記三角柱型プリズム片５１は、該三角柱型プリズム片５１の上面５１Ｕから見たとき、つまり、平面視で、略三角形状の三角柱型プリズムであり、より具体的には、平面視で、略等しい長さを有する二つの辺５１ａ・５１ｂからなる頂角を有し、底辺（二つの等しい長さの辺それぞれと等しい底角を構成する辺）を辺５１ｃとする略二等辺鈍角三角形状の三角柱型プリズムである。
【００７２】
また、上記四角柱型プリズム片５２は、上記三角柱型プリズム片５１と、上記高さ方向に同じ厚みを有する四角柱プリズムである。上記四角柱型プリズム片５２は、該四角柱型プリズム片５２をその上面５２Ｕ側から見たとき、つまり、平面視で、略等しい長さを有する二つの辺５２ａ・５２ｂからなる頂角を有するとともに、上記三角柱型プリズム片５１よりも大きくかつ上記三角柱型プリズム片５１と略相似形状を有する平面視略三角形状（略二等辺鈍角三角形状）のプリズム（三角柱型プリズム）の底辺（辺５２ｃ）の一方の端部（底辺を形成する領域）が除去された形状を有している。あるいは、上記四角柱型プリズム片５２を、上面５２Ｕ側から見たときの平面視で二等辺三角形の一方の底角を構成する領域が除去された三角柱型プリズム片としてみてもよい。
【００７３】
以下の説明では、三角柱型プリズム片５１の上面５１Ｕを構成する辺５１ａ、辺５１ｂ、辺５１ｃを上辺（上端部）とする面を、それぞれ面５１Ａ，面５１Ｂ，面５１Ｃとする。また同様に、四角柱型プリズム片５２の上面５２Ｕを構成する辺５２ａ、辺５２ｂ、辺５２ｃを上辺（上端部）とする面を、それぞれ面５２Ａ，面５２Ｂ，面５２Ｃとする。
【００７４】
図７に示すように、上記三角柱型プリズム片５１と四角柱型プリズム片５２とは、平面視で、両プリズム片の略二等辺三角形の底辺に相当する辺（辺５１ｃ・５２ｃ）が、互いに接するように貼り合わされているとともに、上記四角柱型プリズム片５２の辺５２ｃの両端部が、上記三角柱型プリズム片５１の辺５１ｃよりも外方に突出するように接合されている。
【００７５】
すなわち、上記三角柱型プリズム片５１と四角柱型プリズム片５２とは、面５１Ｃ・５２Ｃ（図６）同士が互いに貼り合わさっているとともに、上記四角柱型プリズム片５２における上記三角柱型プリズム片５１との貼り合わせ面（接合面）である面５２Ｃの水平方向両端部５２Ｃ１・５２Ｃ２（図７）が露出するように互いに貼り合わされている。
【００７６】
これにより、両プリズム片同士の接合面５０Ａ、より具体的には、上記三角柱型プリズム片５１における上記四角柱型プリズム片５２との接合面５１Ｃ、および上記四角柱型プリズム片５２における上記三角柱型プリズム片５１との接合面５２Ｃの接合領域５２Ｃ３は、反射面あるいは透過面として機能する。また、上記露出面となる上記四角柱型プリズム片５２の水平方向両端部５２Ｃ１・５２Ｃ２（以下、露出面と称する）（図７）は、各々、上記プリズム５０を、ハウジング１０に固定する際の固定部（取付面）として用いられる。
【００７７】
尚、図７における露出面５２Ｃ１・５２Ｃ２の露出面積は、プリズム５０をハウジング１０に固定することができれば、どのような割合であっても良い。上記露出面５２Ｃ１・５２Ｃ２における露出面積が等しければ、プリズム５０をハウジング１０により安定的に固定することができるためより好ましい。
【００７８】
また、接合面５０Ａを反射面あるいは透過面として機能させるため、接合面５０Ａには、反射膜が設けられている。この反射膜は、ＤＶＤレーザユニット３０から出射されるレーザ光の大部分を反射し、ＣＤレーザユニット４０から出射されるレーザ光の大部分を透過させる特性を有する。
【００７９】
本実施の形態において、上記三角柱型プリズム片５１における面５１Ａは、前記ＣＤレーザユニット４０のホログラム素子４２におけるレーザ光出射面と対向して設けられている。これにより、面５１Ａは、上記ＣＤレーザユニット４０から出射されたレーザ光の入射面（第一の入射面）として用いられる。
【００８０】
また、上記四角柱型プリズム片５２における面５２Ｂは、前記ＤＶＤレーザユニット３０のホログラム素子３２におけるレーザ光出射面と対向して設けられている。これにより、面５２Ｂは、上記ＤＶＤレーザユニット３０から出射されたレーザ光の入射面（第二の入射面）として用いられる。
【００８１】
本実施の形態においては、上記したように、二つの異なるプリズム片の各々の一面が、各々、ＣＤレーザユニット４０から出射されたレーザ光の入射面、ＤＶＤレーザユニット３０から出射されたレーザ光の入射面として用いられるように、上記プリズム５０が配置される。
【００８２】
上記プリズム５０は、辺５１ｃ・５２ｃが互いに接するように貼り合わされていることで、面５１Ａ・５１Ｂと、これら面５１Ａ・５１Ｂに各々対向する面５２Ａ・５２Ｂとは、各々平行の関係を有している。
【００８３】
本実施の形態において、上記三角柱型プリズム片５１における面５１Ａ（第一の入射面）から上記プリズム５０に入射されたレーザ光は、前記接合面５０Ａを透過し、上記面５１Ａと対向する上記四角柱型プリズム片５２における面５２Ａ（第一の出射面）から出射される。このとき、上記接合面５０Ａは、上記ＣＤレーザユニット４０から出射するレーザ光の透過面として機能する。その一方で、上記ＣＤレーザユニット４０から上記プリズム５０に入射されたレーザ光の一部は、前記接合面５０Ａで反射され、上記面５１Ａとともに上記三角柱型プリズム片５１の頂角を形成する、他方の面５１Ｂ（第二の出射面）から、フロントモニタ１１に出射される。
【００８４】
また、上記四角柱型プリズム片５２における面５２Ｂ（第二の入射面）から上記プリズム５０に入射されたレーザ光は、前記接合面５０Ａにて反射され、上記面５２Ｂとともに上記四角柱型プリズム片５２の頂角を形成する、他方の面５２Ａ（第一の出射面）から出射される。このとき、上記接合面５０Ａは、上記ＤＶＤレーザユニット３０から出射するレーザ光の反射面として機能する。その一方で、上記ＤＶＤレーザユニット３０から上記プリズム５０に入射されたレーザ光の一部は、上記接合面５０Ａを透過し、上記面５２Ｂと対向する上記三角柱型プリズム片５１における面５１Ｂ（第二の出射面）から、フロントモニタ１１に出射される。
【００８５】
次に上記光ピックアップ装置８０の記録・再生動作について、図２および図７を用いて以下に説明する。
【００８６】
ＤＶＤの記録・再生を行う場合、ＤＶＤレーザユニット３０内の半導体レーザ３１から出射されたレーザ光は、ホログラム素子３２を介して上記三角柱型プリズム片５１の面５２Ｂ（第二の入射面）から上記プリズム５０に入射され、図７に示す接合面５０Ａで反射して、面５２Ａ（第一の出射面）から出射される。このときレーザ光の一部は、接合面５０Ａを透過し、図２に示すフロントモニタ１１に導かれ、レーザ光が所定の強度になるように、レーザ駆動電流を制御している。
【００８７】
プリズム５０の面５２Ａ（第一の出射面）から出射されたレーザ光は、コリメートレンズ１５で平行光となり、立上げミラー１６（図５）で反射し、アクチュエータ２０のレンズフォルダ２１に搭載された対物レンズ２２に導かれる。そして光ディスク６０に微小スポットで集光される。このとき、対物レンズ２２は、アクチュエータ２０により、光ディスク６０における記録位置または再生位置に常時焦点を結ぶように追従している。
【００８８】
光ディスク６０の面上で反射した、信号を含んだ還りの光は、行きと同じ経路をたどり、途中波長板１４で光学特性を向上させ、図７に示す上記四角柱型プリズム片５２の面５２Ａから上記プリズム５０に入射され、接合面５０Ａで反射して、面５２Ｂから出射される。そして、面５２Ｂから出射されるレーザ光は、図２に示すＤＶＤレーザユニット３０上のホログラム素子３２によって、分離してフォトダイオード３１ｂに受光し、電気情報に変換するように構成されている。
【００８９】
ＣＤの記録・再生を行う場合も同様に、ＣＤレーザユニット４０内の半導体レーザ４１から出射されたレーザ光は、ホログラム素子４２を介して、図７に示す上記三角柱型プリズム片５１の面５１Ａ（第一の入射面）から上記プリズム５０に入射され、接合面５０Ａを透過して、面５２Ａ（第一の出射面）から出射される。このときレーザ光の一部は、接合面５０Ａを反射し、図２に示すフロントモニタ１１に導かれ、レーザ光が所定の強度になるように、レーザ駆動電流を制御している。
【００９０】
プリズム５０の面５２Ａ（第一の出射面）から出射されたレーザ光は、ＤＶＤレーザユニット３０からの光と同様の経路を経て、光ディスク６０に微小スポットで集光される。このとき、対物レンズ２２は、アクチュエータ２０により、光ディスク６０の面上に常時焦点を結ぶように追従している。
【００９１】
光ディスク６０の面上で反射した、信号を含んだ還りの光は、行きと同じ経路をたどり、途中波長板１４で光学特性を向上させ、図７に示す上記四角柱型プリズム片５２の面５２Ａから上記プリズム５０に入射され、接合面５０Ａを透過して、面５１Ａから出射される。そして、面５１Ａから出射されるレーザ光は、図２に示すＣＤレーザユニット４０上のホログラム素子４２によって、分離してフォトダイオード４１ｂに受光し、電気情報に変換するように構成されている。
【００９２】
プリズム５０は上記のように、レーザ光等の光ビームを、記録媒体や、光信号を検出する受光素子等に導く重要な部品の１つである。このため、良好に光記録再生装置の記録および再生等の操作を行うためには、プリズム５０をＲＡＤ回転方向およびあおり方向（ＴＡＮ回転方向）において精度良く設置する必要がある。
【００９３】
次に、本実施の形態に係る光ピックアップ装置８０における特徴部分として、ハウジング１０におけるプリズム５０が設置される部分の要部構成について、図８〜図１０を用いて以下に説明する。
【００９４】
図８は、プリズム５０が設置されるハウジング１０の要部の構成を示す平面図である。また、図９は、図８のＤ−Ｄ線矢視断面図である。また、図１０は、プリズム５０とハウジング１０の突起部１０Ａ・１０Ｂ・１０Ｃとが接する要部の構成を示す平面図である。
【００９５】
図８に示すように、ハウジング１０には、前述の高さ方向に隆起した、例えば円筒形状の凸部１０Ｄ・１０Ｅ・１０Ｆと、高さ方向に穿孔された調整穴（基体が備える穴）１０Ｈ・１０Ｉ・１０Ｊと、高さ方向に立設された突起部１０Ａ・１０Ｂ・１０Ｃとが設けられている。
【００９６】
凸部１０Ｄ・１０Ｅ・１０Ｆは、プリズム５０の底面を安定的に支えるように、台座として配置されている。具体的には、凸部１０Ｄは三角柱型プリズム片５１における面５１Ｂ（図７参照）側の端部を、凸部１０Ｅは四角柱型プリズム片５２（図７参照）の略中心部を、そして凸部１０Ｆは四角柱型プリズム片５２における面５２Ｂ（図７参照）側の端部を、それぞれ支える構成となっている。また、凸部１０Ｅの周りには、図８および図９に示すように、接着剤を流し込むための凹部１０Ｇが設けられている。
【００９７】
また、凸部１０Ｄ・１０Ｅ・１０Ｆは、プリズム５０をハウジング１０の載置面１０Ｚから高さ方向に持ち上げるために設けられている。これは、ハウジング１０の突起部１０Ａ・１０Ｂ・１０Ｃを加工する際に、載置面１０Ｚと突起部１０Ａ・１０Ｂ・１０Ｃとが接する箇所（すなわち、コーナー部分）に加工ＲやＣ面が形成されるため、プリズム５０の正確な位置を決めるには、プリズム５０をハウジング１０の載置面から少し持ち上げる必要があるからである。さらには、凸部１０Ｄ・１０Ｅ・１０Ｆは、プリズム５０と当接する面積の最小化を図る目的で、台座として配置されている。これにより、プリズム５０とハウジング１０との取り付け精度を容易に高めることができる。具体的には、凸部１０Ｄ・１０Ｅ・１０Ｆが台座として配置されているため、ハウジング１０とプリズム５０とが面接触する場合と比べて、ハウジング１０とプリズム５０とが接触する面積が小さい。これにより、ハウジング１０を加工してプリズム５０に対する取り付け精度を高める場合に、より少ない面積の加工で精度を高めることができる。よって、より簡単な加工で、プリズム５０とハウジング１０との取り付け精度を高めることができる。
【００９８】
調整穴１０Ｈ・１０Ｉ・１０Ｊは、挿入されるピンが、プリズム５０の底面を安定的に支えることができるように、ハウジング１０の凸部１０Ｅを囲むようにほぼ等間隔で配置されている。具体的には、調整穴１０Ｈは三角柱型プリズム片５１における面５２Ａと５２Ｃ（図６参照）とが接する端部に、調整穴１０Ｉは四角柱型プリズム片５２における面５１Ａ（図６参照）側の端部に、調整穴１０Ｊは三角柱型プリズム片５１における面５２Ａと５２Ｂ（図６参照）とが接する端部に、対応するようにそれぞれ設けられている。
【００９９】
突起部１０Ａ・１０Ｂ・１０Ｃは、図１０に示すように、四角柱型プリズム片５２の側面の２ヶ所と三角柱型プリズム片５１の側面の１ヶ所とに当接することによって、プリズム５０を安定的に支えている。具体的には、プリズム５０を上面から見たとき、突起部１０Ａは三角柱型プリズム片５１の辺５１ａの略中心部分と当接し、突起部１０Ｂは四角柱型プリズム片５２の辺５２ｃ１の略全部分と当接し、突起部１０Ｃは四角柱型プリズム片５２の辺５２ｃ２の略全部分と当接する構成となっている。
【０１００】
突起部１０Ａの高さは、ＣＤレーザユニット４０からの光ビームを遮らないように設計されている。また、突起部１０Ｂ、１０Ｃの高さは、図９に示すプリズム５０のあおり方向における位置を調整し易くするため、プリズム５０の高さよりも低く設計されている。つまり、突起部１０Ｂ、１０Ｃの高さがプリズム５０の高さよりも低い場合では、プリズム５０の高さ方向の位置を変化させること無くプリズム５０を突起部１０Ｂ、１０Ｃの側へ傾けることができる。しかし、突起部１０Ｂ、１０Ｃの高さがプリズム５０の高さよりも高い場合では、プリズム５０を突起部１０Ｂ、１０Ｃの側へ傾けるには、プリズム５０を突起部１０Ｂ、１０Ｃの高さよりも高い位置に持ち上げなければならない。
【０１０１】
突起部１０Ａにおけるプリズム５０と接する面は、ハウジング１０の載置面１０Ｚ（図９）に対して垂直であり、プリズム５０がＲＡＤ回転方向に回転する際に支点となるようにプリズム５０側に突き出た曲面となっている。また、突起部１０Ｃにおけるプリズム５０と接する面は、ハウジング１０の載置面１０Ｚに対して垂直である。
【０１０２】
一方、突起部１０Ｂにおけるプリズム５０と接する面１０Ｂ１は、図１（ｂ）に示すように、ハウジング１０の載置面１０Ｚに対して鈍角を作る斜面となっている。突起部１０Ｂが備えた面１０Ｂ１が、上記載置面１０Ｚに対して鈍角を作る斜面となっているため、図１０に二点鎖線にて回転後のプリズム５０の輪郭を示すように、２つの突起部１０Ａ・１０Ｂと当接した状態で、プリズム５０をＲＡＤ回転方向に回転させることができる。具体的には、プリズム５０と突起部１０Ａ・１０Ｂとが当接した状態を保持したままで、プリズム５０の高さ方向の位置を移動させると、プリズム５０は、突起部１０Ｂの面１０Ｂ１の傾斜に沿って、プリズム５０と突起部１０Ａとの当接箇所を支点としてＲＡＤ回転方向（図１０の場合、突起部１０Ｃから遠ざかる方向）に移動する。これにより、プリズム５０と突起部１０Ａ・１０Ｂとを当接させた状態を保持したままで、プリズム５０のＲＡＤ回転方向における位置を変化させることができる。
【０１０３】
ここで、例えば、プリズム５０に、高さ方向と平行にあるプリズム５０の面の少なくとも１ヶ所を高さ方向に可動可能な状態で当接する調整器具を適用するとすれば、プリズム５０は少なくとも３点で安定的に支持される。そして、この状態でプリズム５０の高さ方向の位置を変化させると、プリズム５０が３点で安定的に支持された状態で、プリズム５０のＲＡＤ回転方向の位置を調整することができる。つまり、プリズム５０の位置調整は、プリズム５０が３点で支持された状態で行うことができるため、位置調整中にプリズム５０の位置ズレが生じ難い。このように簡便な調整装置を適用することで、ハウジング１０におけるプリズム５０の設置位置を安定的に調整することができる。
【０１０４】
以下に、より具体的に、調整装置を用いてプリズム５０をハウジング１０に調整して取り付ける方法について説明する。
【０１０５】
最初に、プリズム５０の固定位置を調整するための接着調整治具１００について、図１１〜１３を用いて説明する。
【０１０６】
図１１は接着調整治具１００の概略構成を示す平面図である。また、図１２は接着調整治具１００の側面図である。また、図１３は接着調整治具１００とハウジング１０とが作用する要部を示す平面図である。
【０１０７】
図１１に示すように、接着調整治具１００は、反射ミラー１０２と、マイクロネジ１０３・１０４・１０５と、テンションピン１０６と、高さ調整ピン（ピン）１０１（図１２）と、プリズム押さえレバー１０７（図１２）とを備えている。
【０１０８】
反射ミラー１０２は、プリズム５０の面５２Ｂ（図１３）と向かい合う位置に備えられており、オートコリメータでプリズム５０の反射面の角度読みを行うときに、プリズム５０から出射される光を反射して、再度プリズム５０に導くために設置されている。
【０１０９】
高さ調整ピン１０１は、図１（ｂ）に示すように、ハウジング１０が備える調整穴１０Ｈ・１０Ｉ・１０Ｊ（但し、１０Ｈ、１０Ｉは図８参照）に挿入することができるように、ハウジング１０のそれぞれの調整穴に対応した位置に設置されている。高さ調整ピン１０１は、ハウジング１０が備える調整穴１０Ｈ・１０Ｉ・１０Ｊを介して、プリズム５０を３点で支えることによって、安定的にプリズム５０の高さ方向の位置を調整する。
【０１１０】
マイクロネジ１０３・１０４・１０５は、高さ調整ピン１０１の長さ方向に対して垂直方向に設置され、正面および左側面および右側面にそれぞれ備えられている。マイクロネジ１０３・１０４・１０５は、マイクロネジ１０３・１０４・１０５を回転させることによって、それぞれに連動している高さ調整ピン１０１の高さを変化させることができる。
【０１１１】
テンションピン１０６は、図１３に示すように、プリズム５０の面５２Ａと面５２Ｂとの接線周辺部と接触するように配置される。テンションピン１０６は、プリズム５０をハウジング１０の突起部１０Ａ・１０Ｂ・１０Ｃ（図８参照）に押し当てるように作用して、高さ方向と垂直の方向においてプリズム５０をハウジング１０に往復動可能な状態で支持する。
【０１１２】
プリズム押さえレバー１０７は、図１２に示すように、プリズム５０の上面の上に位置するように設置される。プリズム押さえレバー１０７は、プリズム５０の上面と接触し、プリズム５０をハウジング１０の凸部１０Ｄ・１０Ｅ・１０Ｆ（図８参照）に押し当てるように作用して、高さ方向においてプリズム５０をハウジング１０に往復動可能な状態で支持する。また、プリズム押さえレバー１０７は、プリズム押さえレバー１０７を回転させることにより、ハウジング１０の上面に対して、接近させたり遠ざけたりすることができる構成となっている。
【０１１３】
次に、接着調整治具１００を用いてプリズム５０をハウジング１０に調整して取り付ける場合におけるプリズム５０の面５１Ｂに対して斜面となっているハウジング１０の突起部１０Ｂの作用について、図１（ｂ）および図１０を参照しながら、より詳細に以下に説明する。
【０１１４】
プリズム５０を、接着調整治具１００を用いて、ハウジング１０に固定させる場合、プリズム５０には、テンションピン１０６からプリズム５０をハウジング１０の突起部１０Ａおよび突起部１０Ｂの方向に押し付ける力が働いている。この状態で、プリズム５０の高さ方向の位置を変化させると、ハウジング１０の突起部１０Ｂの面１０Ｂ１は図１（ｂ）に示すようにプリズム５０の面５２Ｃ１に対して斜面となっているために、プリズム５０の面５２Ｃ１と突起部１０Ｂの面１０Ｂ１との接触位置が、面１０Ｂ１の傾斜に沿って移動する。一方、図１０に示すように、プリズム５０の面５２Ｃ２は、プリズム５０が移動するため、それに伴い突起部１０Ｃから離れていく。つまり、プリズム５０は、ハウジング１０の突起部１０Ａを支点として、突起部１０Ｂの斜面に沿ってＲＡＤ回転方向に回転移動する。
【０１１５】
ここで、例えば、図２０のようにハウジング１０が備える突起部１０Ｂの面１０Ｂ１が、ハウジング１０の底面に対して斜面ではなく垂直面である場合を考える。図２０は、ハウジングが備える突起部１０Ｂ’の面が斜面ではない場合の図１のＡ−Ａ線矢視断面図である。
【０１１６】
図２０に示すように、突起部１０Ｂ’のプリズム５０と接する面が斜面ではなく垂直面１０Ｂ１’であると、プリズム５０の高さ方向の位置を変化させても、突起部１０Ｂ’のプリズム５０と接する面はプリズム５０の面５２Ｃ１に対して平行であるため、プリズム５０の面５２Ｃ１と突起部１０Ｂ’の面１０Ｂ１’との接触位置は、突起部１０Ｂ’の面１０Ｂ１’に沿って高さ方向に平行に移動する。このため、プリズム５０の高さ方向の位置を変化させても、プリズム５０は高さ方向に平行移動するのみで、ＲＡＤ回転方向には変化することができない。よって、プリズム５０をＲＡＤ回転方向に回転移動させることができない。
【０１１７】
このように、本発明に係る光ピックアップ装置８０では、ハウジング１０の突起部１０Ｂのプリズム５０と接する面１０Ｂ１が、プリズム５０の面５２Ｃ１に対して斜面となっているため、プリズム５０の高さ方向の位置を変化させることにより、容易にかつ安定的にプリズム５０のＲＡＤ回転方向の位置を調整することが可能となっている。
【０１１８】
また例えば、ハウジング１０が、プリズム５０のＲＡＤ回転方向における支点となる突起部１０Ａのみを備える場合では、プリズム５０をＲＡＤ回転方向には回転移動させることが可能であるが、プリズム５０の支持が困難である。つまり、プリズム５０を安定的に支えるために、プリズム５０を支えるための設備が接着調整治具１００等とは別途必要になり、調整設備が大掛かりになってしまう。また、プリズム５０とハウジング１０とが直接接する部分が１ヶ所しかないため、プリズム５０の固定位置は接着剤の影響を受けやすい。このため、接着剤の硬化時に、プリズム５０の位置に大きなズレが起こり、固定位置精度に劣るという問題や、耐環境下での信頼性に劣るという問題が生じてしまう。
【０１１９】
このように、ハウジング１０には、載置面から立ち上がった突起部１０Ａ・１０Ｂ・１０Ｃが形成され、突起部１０Ａ・１０Ｂ・１０Ｃは、プリズム５０が当接する当接面を備え、突起部１０Ｂが備えた当接面が、上記載置面に対して鈍角を作る斜面１０Ｂ１となっていることにより、プリズム５０の高さ方向の位置を変化させることで、容易にかつ安定的にプリズム５０のＲＡＤ回転方向の位置を調整することが可能となっている。ハウジング１０が備える突起部の数は、少なくとも２つ必要であるが、プリズム５０をより安定的にハウジング１０に支持させることを考慮すると、３つであることがより好ましい。
【０１２０】
また、本発明に係る光ピックアップ装置では、さらに、ハウジング１０には、プリズム５０と当接する当接面が載置面１０Ｚに対して鋭角を作る斜面となっている突起部（第２立設部）を備えていることがより好ましい。つまり、本実施の形態において、突起部１０Ｃのプリズム５０と当接する面が、載置面１０Ｚに対して鋭角を作る斜面となっていることがより好ましい。
【０１２１】
これにより、突起部１０Ａ・１０Ｂ・１０Ｃとプリズム５０とが当接した状態で、プリズム５０をＲＡＤ回転方向に回転させることができる。具体的には、突起部１０Ｂの当接面１０Ｂ１は、載置面１０Ｚに対して鈍角を作る斜面となっているのに対して、突起部１０Ｃの当接面は、載置面１０Ｚに対して鋭角を作る斜面となる。このため、プリズムの高さ方向の位置をハウジング１０から離れる方向に移動させると、突起部１０Ｂとプリズム５０との接触位置は突起部１０Ｂにプリズム５０が接近する方向に移動すると同時に、突起部１０Ｃとプリズム５０との接触位置は突起部１０Ｃからプリズム５０が離れる方向に移動する。よって、プリズム５０を支点となる突起部１０Ａと当接させた状態で、別の２つの突起部１０Ｂ・１０Ｃと当接した状態を保持しながらプリズム５０を回転させることができる。ここで、プリズム５０の回転方向は、２つの突起部１０Ｂ・１０Ｃが斜面を有するため、ＲＡＤ回転方向において右回りと左回りの両方の方向に回転させることができる。従って、ハウジング１０におけるプリズム５０の設置位置をより精度よく、安定的に調整することができ、固定後のプリズム５０の位置が経時変化に対してより影響を受け難いというさらなる効果を奏する。
【０１２２】
また、高さ調整ピン１０１の高さ方向の位置をそれぞれ独立して変化させることによって、プリズム５０をあおり方向に回転させることができる。具体的には、接着調整治具１００のマイクロネジ１０３・１０４・１０５の中で、１つもしくは２つのみのマイクロネジを回転させることで、１つもしくは２つの高さ調整ピン１０１の高さ方向の位置を変化させる。これによって、プリズム５０の上面は、高さ方向に対して垂直でなくなる。このようにして高さ調整ピン１０１の高さをそれぞれ独立に変化させることによって、プリズム５０のあおり方向の位置を容易に調整することができる。
【０１２３】
プリズム５０の高さ方向の位置を調整するための高さ調整ピン１０１の数は、何本でもかまわないが、プリズム５０を安定的に支えながらあおり方向の調整を行うためには、少なくとも３本必要であり、より好ましくは３本である。
【０１２４】
また、高さ調整ピン１０１を通すためのハウジング１０に備えられている穴の数は、高さ調整ピン１０１の数だけ必要だが、それより多くてもかまわない。上記穴の数が多くなることによって、接着剤を充填させるための穴が増えるため、より均一に接着剤を充填させることができる。よって、より強固にプリズム５０をハウジング１０に固定することができる。
【０１２５】
上記のように、ハウジング１０の突起部１０Ｂのプリズム５０と当接する面１０Ｂ１が、ハウジング１０の載置面１０Ｚに対して鈍角を作る斜面であることによって、プリズム５０をハウジング１０に安定的に設置した状態で、ＲＡＤ回転方向の位置調整を容易にすることができる。これにより、プリズム５０をハウジング１０に対して、簡単にかつ高い精度で固定することができる。さらには、プリズム５０は凹部１０Ｇに充填させた接着剤によって接着させる面との固定のみならず、ハウジング１０の突起部１０Ａ・１０Ｂ・１０Ｃとのプリズム５０とが直接接触しているため、プリズム５０の接着固定位置にズレが生じにくい。よって、記録媒体の記録・再生を長期間良好に行うことができる光ピックアップ装置を提供することができる。
【０１２６】
次に、接着調整治具１００により、プリズム５０を位置調整して、ハウジング１０に固定させる方法について図８および図１１〜１３を用いて説明する。
【０１２７】
図８に示すように、プリズム５０をハウジング１０に固定させる場合、まずハウジング１０の凹部１０Ｇの接着剤溜り部に接着剤を流し込む。そして、プリズム５０を、ハウジング１０に備えられた３ヶ所の凸部１０Ｄ・１０Ｅ・１０Ｆおよび３ヶ所の突起部１０Ａ・１０Ｂ・１０Ｃで支持されるように配置する。
【０１２８】
そして、プリズム５０を配置したハウジング１０を、接着調整治具１００にセットする。プリズム５０を配置したハウジング１０の接着調整治具１００へのセットは、図１１に示すように、プリズム押さえレバー１０７およびテンションピン１０６（図１２）をプリズム５０にセットして行う。
【０１２９】
ハウジング１０を接着調整治具１００に設置後、ハウジング１０の底面に設けられた調整穴１０Ｈ・１０Ｉ・１０Ｊの中に、接着調整治具１００が備える高さ調整ピン１０１をセットする。これにより、マイクロネジ１０３・１０４・１０５を回転させることで、高さ調整ピン１０１の高さ方向の位置を変化させて、プリズム５０の高さ方向の位置を調整することができる。プリズム５０の高さ方向の位置が変化することによって、プリズム５０は、ハウジング１０の突起部１０Ｂの斜面に沿ってＲＡＤ回転方向に回転する。
【０１３０】
また、マイクロネジ１０３・１０４・１０５をそれぞれ独立に回転させることで、３つの高さ調整ピン１０１の高さ方向の位置を別々に調整することができる。これにより、プリズム５０のあおり方向の位置を調整することができる。このように、接着調整治具１００のマイクロネジ１０３・１０４・１０５を回転させることにより、プリズム５０をＲＡＤ回転方向および／またはあおり方向に自由に調整でき、プリズム５０の設置位置を最適化することができる。
【０１３１】
プリズム５０の位置調整は、オートコリメータ（図示せず）により、プリズム５０の反射面の角度読みを行うことによってなされる。オートコリメータは立ち上げミラー１６の上部に設置される。オートコリメータに立ち上げミラー１６を介してプリズム５０へ光の出射及びプリズム５０からの光の入射を行わせるために、立ち上げミラー１６から反射してオートコリメータへ向かう光の光路上に、オートコリメータの検出器が配置される。また、オートコリメータにはモニターが備えられており、プリズムの位置の調整確認はモニターを見ながら行う。
【０１３２】
オートコリメータによるプリズム５０の反射面の角度読みは、オートコリメータの反射光をプリズム５０で反射させ、反射ミラー１０２へ導き、反射ミラー１０２からの反射光を再度プリズム５０で反射させてオートコリメータへ戻すことにより行われる。具体的には、図１３に示すように、オートコリメータの反射光の方向を立上げミラー１６で変化させ、その光をプリズム５０の反射面となる接合面５０Ａで反射させ、あらかじめ角度設定されている反射ミラー１０２（図１１）へ導き、その反射光を再度プリズム５０の接合面５０Ａで反射させ、立上げミラー１６で方向変換し、オートコリメータへ戻すことにより行われる。このようにしてプリズム５０の反射面の角度読みを行うことができる。
【０１３３】
プリズム５０の位置調整は、オートコリメータのモニタを見ならマイクロネジ１０３・１０４・１０５を回転させることにより、接合面５０ＡのＲＡＤ回転方向および／またはあおり方向を変化させて行う。これにより、高い精度でプリズム５０の設置位置の追い込み調整を行うことができる。
【０１３４】
そして、プリズム５０の位置調整完了後、紫外線をプリズム５０の上面より照射し、凹部１０Ｇに充填されている接着剤を固化させる。
【０１３５】
このようにして、ハウジング１０とプリズム５０とを、凹部１０Ｇに充填されている接着剤によって接着させることで、ハウジング１０とプリズム５０とを３次元的に固定させることができる。つまり、プリズム５０は、ハウジング１０の突起部１０Ａ・１０Ｂ・１０Ｃと接触している面だけでなく、凹部１０Ｇに充填されている接着剤によっても底面が固定されるので、非常に安定的に固定される。
【０１３６】
プリズム５０の固定後、さらに、ハウジング１０が備える調整穴１０Ｈ・１０Ｉ・１０Ｊから高さ調整ピン１０１を外して、調整穴１０Ｈ・１０Ｉ・１０Ｊからプリズム５０の高さ調整の結果生じるプリズム５０の底面とハウジング１０との間の隙間に接着剤を流し込む。そして、同様に紫外線により接着剤を固化させる。この場合、調整穴１０Ｈ・１０Ｉ・１０Ｊは、接着剤溜りとして使用され、接着剤が調整穴１０Ｈ・１０Ｉ・１０Ｊを塞ぐように接着剤を充填する。これにより、より強固にプリズム５０をハウジング１０に固定することができる。
【０１３７】
以上のように本発明の光ピックアップ装置８０では、プリズム５０をハウジング１０に高い精度で位置調整して、安定的に固定することができる。さらには、プリズム５０の位置調整後、プリズム５０をハウジング１０に接着剤等で固定させる場合に、プリズム５０は、ハウジング１０に備えられた少なくとも２つの突起部１０Ａ・１０Ｂの当接面と当接した状態で固定される。これにより、接着剤の硬化時および経時変化によって生じる接着剤の体積変化等の影響を受け難い。
【０１３８】
従って、本発明の光ピックアップ装置では、簡便な調整装置を適用することで、ハウジング１０におけるプリズム５０の設置位置を安定的に調整することができ、固定後のプリズム５０の位置が経時変化に対して影響を受け難い。このため、特別な調整設備が不要で、記録媒体の記録・再生を長期間良好に行うことができる光ピックアップ装置を提供することができるという効果を奏する。
【０１３９】
次に、本発明の光ピックアップ装置８０を用いた光記録再生装置について図１４および図１５を用いて以下に説明する。
【０１４０】
図１４は、本実施の形態に係る光記録再生装置の概略構成を示す正面図である。また、図１５は、本実施の形態に係る光記録再生装置の概略構成を示す上面図である。
【０１４１】
図１５に示すように、光記録再生装置９０では、基体となるドライブ８１に、メカ８２と駆動回路８３とが設置されている。メカ８２には、光ピックアップ装置８０と、スピンドルモータ８６と、スレッドモータ８７とが設置されている。駆動回路８３には、光ピックアップ駆動回路（図示せず）と、信号処理回路（図示せず）と、モータ駆動回路（図示せず）と、光ピックアップ駆動回路およびモータ駆動回路等を制御する制御部（図示せず）が設けられている。光ピックアップ装置８０には、ＬＤ駆動回路（図示せず）とＡＰＣ回路（図示せず）とが備えられている。なお、以下の説明では、光ピックアップ装置８０におけるレーザ光照射手段、レンズ系、対物レンズ制御手段から構成されるレーザ光を出射する一連の構成部分を光学系とする。
【０１４２】
光記録再生装置９０で行われる記録動作時には、制御部による制御の下、光ピックアップ駆動回路が、スレッドモータ８７によって、光ディスク６０（図１４）のトラックへ光ピックアップ装置８０を移動させる。この光ディスク６０は、モータ駆動回路によって作動させられたスピンドルモータ８６により回転している。そして、ＬＤ駆動回路が、光学系からの出射光量を設定し、光学系から光ディスク６０に向けてレーザを出射させる。これにより、記録用のレーザ光が光ディスク６０に照射され、情報が記録される。
【０１４３】
また、光記録再生装置９０で行われる再生動作時には、制御部による制御の下、光ピックアップ駆動回路が、スレッドモータ８７によって、光ディスク６０の記録部位へ光ピックアップ装置８０を移動する。この光ディスク６０は、モータ駆動回路にて作動させられたスピンドルモータ８６により回転している。そして、ＬＤ駆動回路が光学系からの出射光量を設定し、再生用のレーザ光が光ディスク６０に向けて出射される。光ディスク６０からの反射光は、光学系で検出され、信号処理回路で処理され、再生信号となり制御部に入力される。これにより、光ディスク６０に記録された情報が再生される。
【０１４４】
さらに、上記光ディスク６０の再生時や光ディスク６０への記録時に、本実施形態の光記録再生装置９０は、光ピックアップ装置８０の出射光制御系においてＡＰＣ動作を行う。つまり、光ディスク６０に集光しない光をＡＰＣ用受光素子で受光し、ＡＰＣ用受光素子から出力される電気信号をＡＰＣ回路で設定パワー相当の電気信号と比較し、その差分をフィードバック信号としてＬＤ駆動回路に送り、フィードバック信号を基に、光源駆動回路により光源からの出射光パワーが常に適正値となるようにレーザ駆動電流を制御する。
【０１４５】
以上のように、本発明の光記録再生装置は、光線の方向を変えるプリズムをハウジングの側面に一つの面を当てたプリズムを具備した光ピックアップ装置において、該ハウジングの側面を斜面にしてプリズムの高さで、プリズムの光軸に対する角度を調整することを特徴とする。
【０１４６】
また、本発明の光記録再生装置は、プリズムの側面を３点支持構造にしたことを特徴としている。
【０１４７】
また、本発明の光記録再生装置は、プリズムはハウジングに設けた３ケ所の穴より３点のピンの高さをネジ調整であおり調整と高さ調整とを併用し、調整することを特徴としている。
【０１４８】
また、本発明の光記録再生装置は、ハウジングとプリズムとの平面方向の設置には、わずかな隙間を設け接着剤を介して接着されることを特徴としている。
【０１４９】
また、本発明の光記録再生装置は、ハウジングに設けた３ケ所の調整穴をハウジングとプリズムとの接着剤溜りに利用固定することを特徴としている。
【０１５０】
従って、本発明の光記録再生装置は、光学系において、プリズム５０が高い精度でハウジング１０に固定されているため、精度良く光ディスク６０への記録、または、光ディスク６０の再生を行うことができる。よって、光記録媒体への記録や光記録媒体の再生を良好に行うことができる光記録再生装置を提供することができる。
【０１５１】
（実施の形態２）
本発明の第２の実施の形態について、図１６〜図１９を用いて以下に詳細に説明する。但し、上述した実施の形態１における部材と同一の部材には同一の符号を付し、その説明は省略する。
【０１５２】
実施の形態１において、プリズム５０を使用する代わりにプリズム２５０を使用することおよびハウジング１０が備える突起部１０Ｂが突起部２１０Ｂとなっていること以外は、実施の形態１と同じ構成で、光ピックアップ装置２８０が形成されている。
【０１５３】
光ピックアップ装置２８０で使用するハウジング２１０について、図１６〜図１８を用いて以下に説明する。
【０１５４】
図１６は、本発明の実施形態に係る光ピックアップ装置の概略構成を示す平面図である。また、図１７は、図１６におけるＡ−Ａ線矢視断面図である。また、図１８は、図１６におけるＢ−Ｂ線矢視断面図である。
【０１５５】
図１７に示すように、ハウジング２１０における突起部２１０Ｂのプリズム２５０と接する面２１０Ｂ１は、突起部１０Ｂとは異なり、ハウジング２１０の載置面１０Ｚに対して垂直な垂直面である。つまり、突起部２１０Ｂのプリズム２５０と接する面２１０Ｂ１が、プリズム２５０の底面と垂直であり、図２０に示した従来の光ピックアップ装置におけるハウジングの突起部１０Ｂ’と同じ構成である。
【０１５６】
一方、プリズム２５０は、突起部２１０Ｂ・１０Ｃと接する面が斜面となっている。以下に、プリズム２５０について図１９を用いて説明する。
【０１５７】
図１９（ａ）〜（ｇ）は、上記プリズム２５０の形状を示す図であり、図１９（ａ）は背面図、図１９（ｂ）は背面側の斜めから見た左側面図、図１９（ｃ）は平面図、図１９（ｄ）は背面側の斜めから見た右側面図、図１９（ｅ）は正面側の斜めから見た左側面図、図１９（ｆ）は正面側の斜めから見た右側面図、図１９（ｇ）は正面図である。
【０１５８】
上記プリズム２５０は、図１９（ａ）〜（ｇ）に示すように、プリズム５０における面５２Ｃ１および面５２Ｃ２（図７（ａ）〜（ｅ）参照）に対応する面２５２Ｃ１（第１当接面）および面２５２Ｃ２（第１当接面）が斜面となっていること以外はプリズム５０と同じ構成のものである。
【０１５９】
プリズム２５０は、面２５２Ｃ１および面２５２Ｃ２が、斜面となっている。つまり、面２５２Ｃ１および面２５２Ｃ２と四角柱型プリズム片２５２の上面２５２Ｕとが成す角度が鋭角となり、面２５２Ｃ１および面２５２Ｃ２と四角柱型プリズム片２５２の底面とが成す角度が鈍角となっている。言い換えれば、ハウジング２１０の載置面１０Ｚに対し面２５２Ｃ１および面２５２Ｃ２が鋭角となっている。これにより、四角柱型プリズム片２５２の底面は、プリズム５０のような四角形ではなく、底面における面２５２Ｃ１および面２５２Ｃ２と接する辺２５２ｃ１および２５２ｃ２が内側に窪んだ形状となっている。
【０１６０】
次に、ハウジング２１０の突起部２１０Ｂのハウジング２５０との当接面２１０Ｂ１に対して斜面となっているプリズム２５０の面２５２Ｃ１の作用について、図１７を参照しながら、以下に説明する。
【０１６１】
プリズム２５０を、接着調整治具１００を用いて、ハウジング２１０に固定させる場合、プリズム２５０には、実施の形態１のプリズム５０と同様に、テンションピン１０６からプリズム２５０をハウジング２１０の突起部１０Ａおよび突起部２１０Ｂの方向に押し付ける力が働いている。この状態で、プリズム２５０の高さ方向の位置を変化させると、プリズム２５０の面２５２Ｃ１は、図１７に示すようにハウジング２１０の突起部２１０Ｂの面２１０Ｂ１に対して斜面となっているために、プリズム２５０の面２５２Ｃ１と突起部２１０Ｂの面２１０Ｂ１との接触位置が、面２５２Ｃ１の傾斜に沿って移動する。一方、図１６に示すように、プリズム２５０の面２５２Ｃ２は、プリズム２５０が移動するため、それに伴い突起部１０Ｃから離れていく。つまり、プリズム２５０は、ハウジング２１０の突起部１０Ａを支点として、プリズム２５０の面２５２Ｃ１の斜面に沿ってＲＡＤ回転方向に回転移動する。
【０１６２】
また、テンションピン１０６のプリズム２５０を押し付ける力の方向を、プリズム２５０をハウジング２１０の突起部１０Ａおよび突起部２１０Ｂの方向に押し付ける方向から、プリズム２５０をハウジング２１０の突起部１０Ａおよび突起部１０Ｃの方向に押し付ける方向にすれば、プリズム２５０を反対方向のＲＡＤ回転方向に回転移動させることができる。具体的には、プリズム２５０の面２５２Ｃ２は、面２５２Ｃ１と同様に、ハウジング２１０の突起部１０Ｃのプリズム２５０との当接面に対して斜面となっている。このため、テンションピン１０６のプリズム２５０を押し付ける力の方向を、プリズム２５０をハウジング２１０の突起部１０Ａおよび突起部１０Ｃの方向に押し付ける方向にすれば、プリズム２５０の高さ方向の位置を変化させると、プリズム２５０の面２５２Ｃ２と突起部１０Ｃの面との接触位置が、面２５２Ｃ２の傾斜に沿って移動する。一方、図１６に示すように、プリズム２５０の面２５２Ｃ１は、プリズム２５０が移動するため、それに伴い突起部２１０Ｂから離れていく。つまり、プリズム２５０は、ハウジング２１０の突起部１０Ａを支点として、プリズム２５０の面２５２Ｃ２の斜面に沿って、面２５２Ｃ１の斜面と作用している場合とは反対方向のＲＡＤ回転方向に回転移動する。
【０１６３】
このように、プリズム２５０はハウジング２１０の載置面１０Ｚに対して鋭角を成す２ヶ所の斜面を備えている。このため、プリズム２５０を調整器具によって角度調節する際に、それぞれの斜面と突起部２１０Ｂ・１０Ｃの垂直面との作用によってより広い範囲でプリズム２５０の角度を調整することができる。具体的には、プリズム２５０に形成した斜面が、例えば突起部２１０Ｂに当接する面の１ヶ所である場合には、もう一方の支点とならない上記突起部１０Ｃと接するプリズム２５０の面が斜面ではないため、プリズム２５０を、突起部２１０Ｂにより近づける方向に回転させることはできるものの、逆に突起部２１０Ｂから遠ざける方向に回転させることができない。しかし、上記支点ではない突起部１０Ｃと接するプリズム２５０の面をも斜面とすることで、プリズム２５０をＲＡＤ回転方向に沿った左右両回りに回転移動させることができる。よって、プリズム２５０をより広い範囲で調整することができる。
【０１６４】
上記テンションピン１０６のプリズム２５０を押し付ける力の方向を変える構成としては、例えば、テンションピン１０６の位置をプリズム２５０の回転方向に応じて移動させる構成、もう一つ別のテンションピンを設ける構成等が挙げられる。
【０１６５】
また、本実施の形態では、プリズム２５０の面２５２Ｃ２はハウジング２１０の載置面１０Ｚに対して鋭角を作る斜面となっているが、載置面１０Ｚに対して鈍角を作る斜面２５２Ｃ２となっていても良い。
【０１６６】
これにより、少なくとも３つの立設部と当接させた状態で、プリズム２５０をＲＡＤ回転方向に回転させることができる。具体的には、プリズムの面２５２Ｃ１は、上記載置面１０Ｚに対して鋭角を作る斜面となっているのに対して、プリズムの面２５２Ｃ２（第２当接面）は、上記載置面１０Ｚに対して鈍角を作る斜面となる。このため、プリズム２５０の高さ方向の位置をハウジング２１０から離れる方向に移動させると、プリズム２５０の突起部２１０Ｂとの接触位置は突起部２１０Ｂにプリズム２５０が接近する方向に移動するのに対して、プリズムの面２５２Ｃ２と突起部１０Ｃとの接触位置は突起部１０Ｃからプリズム２５０が離れる方向に移動する。よって、プリズム２５０を支点となる突起部１０Ａと当接させた状態で、突起部２１０Ｂおよび突起部１０Ｃと当接した状態を保持しながらプリズム２５０を回転させることができる。従って、ハウジング２１０におけるプリズム２５０の設置位置をより精度よく、安定的に調整することができ、固定後のプリズム２５０の位置が経時変化に対してより影響を受け難くすることができる。
【０１６７】
本発明の光ピックアップ装置２８０を用いた光記録再生装置についての説明は、光記録再生装置９０と略同様であるため、説明は省略する。
【０１６８】
本発明の光記録再生装置は、光学系において、プリズム２５０が高い精度でハウジング２１０に固定されているため、精度良く光ディスク６０への記録、または、光ディスク６０の再生を行うことができる。従って、本光記録再生装置は、光記録媒体への記録や光記録媒体の再生を良好に行うことができる。
【０１６９】
以上のように、本発明の光記録再生装置は、ハウジングの傾斜面をプリズム側に形成したことを特徴としている。
【０１７０】
従って、本発明の光記録再生装置は、光学系において、プリズム２５０が高い精度でハウジング２１０に固定されているため、精度良く光ディスク６０への記録、または、光ディスク６０の再生を行うことができる。よって、光記録媒体への記録や光記録媒体の再生を良好に行うことができる光記録再生装置を提供することができる。
【０１７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７２】
本発明の光ピックアップ装置は、プリズムがハウジングに対して高い位置精度で設置されるため、光ディスク等の記録媒体への光学的な情報の記録および／または再生を行う光記録再生装置、ＤＶＤレコーダ、ＴＶ／ビデオ複合機等に好適に用いることができる。従って、本発明に係る光ピックアップ装置は、家庭から工業設備にいたる様々な電子機器または電気製品の分野に好適に用いることができる。
【図面の簡単な説明】
【０１７３】
【図１】本発明の実施形態に係る光ピックアップ装置の要部構成を示し、（ａ）は平面図であり、（ｂ）は図１（ａ）におけるＡ−Ａ線矢視断面図である。
【図２】本発明の実施形態に係る光ピックアップ装置の概略構成を示す平面図である。
【図３】上記光ピックアップ装置を裏側から見たときの概略構成を示す底面図である。
【図４】上記光ピックアップ装置の図１におけるＢ−Ｂ線矢視断面図である。
【図５】上記光ピックアップ装置の図１におけるＣ−Ｃ線矢視断面図である。
【図６】上記光ピックアップ装置のプリズムの立体分解図である。
【図７】上記光ピックアップ装置のプリズムの概略構成を示す平面図であり、（ａ）は背面図、（ｂ）は左側面図、（ｃ）は平面図、（ｄ）は右側面図、（ｅ）は正面図である。
【図８】上記光ピックアップ装置におけるハウジングの要部の構成を示す平面図である。
【図９】上記光ピックアップ装置の図８におけるＤ−Ｄ線矢視断面図である。
【図１０】上記光ピックアップ装置におけるプリズムの要部の構成を示す平面図である。
【図１１】上記光ピックアップ装置を製造するための接着調整治具の概略構成を示す平面図である。
【図１２】上記光ピックアップ装置を製造するための接着調整治具の側面図である。
【図１３】上記光ピックアップ装置を製造するための接着調整治具の要部の構成を示す平面図である。
【図１４】本発明に係る光記録再生装置の概略構成を示す正面図である。
【図１５】本発明に係る光記録再生装置の概略構成を示す上面図である。
【図１６】本発明の他の実施形態に係る光ピックアップ装置の概略構成を示す平面図である。
【図１７】図１６の光ピックアップ装置におけるＡ−Ａ線矢視断面図である。
【図１８】図１６の光ピックアップ装置におけるＢ−Ｂ線矢視断面図である。
【図１９】上記光ピックアップ装置のプリズムの概略構成を示す平面図であり、（ａ）は背面図、（ｂ）は背面側の斜めから見た左側面図、（ｃ）は平面図、（ｄ）は背面側の斜めから見た右側面図、（ｅ）は正面側の斜めから見た左側面図、（ｆ）は正面側の斜めから見た右側面図、（ｇ）は正面図である。
【図２０】従来の光ピックアップ装置におけるハウジングの要部の構成を示す断面図である。
【図２１】従来の光ピックアップ装置のプリズム部分の一例を示す断面図である。
【図２２】従来の他の光ピックアップ装置における光学部品取り付け装置の一例を示す一部断面を含む説明図である。
【符号の説明】
【０１７４】
１０        ハウジング（基体）
１０Ａ      突起部（立設部）
１０Ｂ      突起部（第１立設部）
１０Ｃ      突起部（立設部）
１０Ｈ      調整穴（基体が備える穴）
１０Ｉ      調整穴（基体が備える穴）
１０Ｊ      調整穴（基体が備える穴）
１０Ｂ１      面（搭載面に対して鈍角を作る斜面となる立設部の当接面）
１０Ｚ      搭載面
５０        プリズム
８０        光ピックアップ装置
１０１      高さ調整ピン（ピン）
２５２Ｃ１    面（第１当接面）
２５２Ｃ２    面（第１当接面）
【図１】
2007102987.tif 000003
【図２】
2007102987.tif 000004
【図３】
2007102987.tif 000005
【図４】
2007102987.tif 000006
【図５】
2007102987.tif 000007
【図６】
2007102987.tif 000008
【図７】
2007102987.tif 000009
【図８】
2007102987.tif 000010
【図９】
2007102987.tif 000011
【図１０】
2007102987.tif 000012
【図１１】
2007102987.tif 000013
【図１２】
2007102987.tif 000014
【図１３】
2007102987.tif 000015
【図１４】
2007102987.tif 000016
【図１５】
2007102987.tif 000017
【図１６】
2007102987.tif 000018
【図１７】
2007102987.tif 000019
【図１８】
2007102987.tif 000020
【図１９】
2007102987.tif 000021
【図２０】
2007102987.tif 000022
【図２１】
2007102987.tif 000023
【図２２】
2007102987.tif 000024